(57)【特許請求の範囲】
【請求項１】
配線金具と；
底面部と、配線金具に接続されるアース極の配線が挿入される複数の配線孔と、これら配線孔に近接して設けられ底面部から突出しかつ底面部と異なる表面状態でそれぞれアース極を表示する複数の表示部と、各表示部の周囲を囲み、これら表示部よりも突出された突出部とを設けた底部を有し、配線孔の内側に臨んで配線金具を収納する筐体と；
を具備したことを特徴とする配線器具。
【発明の詳細な説明】
【０００１】
【発明の属する技術分野】
本発明は、配線が接続される配線器具に関する。
【０００２】
【従来の技術】
従来、コンセント、スイッチ、および端子台など、配線が接続される配線金具を筐体に収納した配線器具が用いられている。
【０００３】
そして、筐体は、正面側を開口した筐体本体と、この筐体本体の開口を覆うカバー体とを備え、互いに止め金具により連結固定されている。そして、カバー体には、プラグの刃が挿入される刃挿入孔が設けられ、あるいは、揺動するスイッチハンドルが設けられている。一方、筐体本体の底面部には、配線金具が接続される配線が挿入される複数の配線孔が形成されている。
【０００４】
また、筐体本体の底面部には、配線孔の種類などを示す表示部が、底面部に一体に立体的に突設されている。しかしながら、底面部には、定格消費電流や型名などの複数の表示がなされるため、配線孔の種類の表示は、小さく、また、細くなりやすく、特に暗い場所などでは識別が必ずしも容易でなく、施工性が悪い問題を有している。これに対して、この表示部を分かりやすくするために、この表示部を着色する構成が考えられる。しかしながら、単に突設した部分に着色すると、梱包時、輸送時、あるいは配線器具の組立作業時などに、突設した部分が他の部材などに摺接して着色が剥がれやすく、これを防ぐためには配線器具を慎重に取り扱う必要があり、作業性の向上が困難である問題を有している。
【０００５】
【発明が解決しようとする課題】
上記のように、筐体本体の底面部に、配線孔の種類などを示す表示部を底面部に一体に立体的に突設し、さらに、この表示部を分かりやすくするためにこの表示部を単に着色する構成では、梱包時、輸送時、あるいは配線器具の組立作業時などに、突設した部分が他の部材などに摺接して着色が剥がれやすく、これを防ぐためには配線器具を慎重に取り扱う必要があり、作業性の向上が困難である問題を有している。
【０００６】
本発明は、このような点に鑑みなされたもので、配線作業の作業性を良好にできる配線器具を提供することを目的とする。
【０００７】
【課題を解決するための手段】
請求項１記載の配線器具は、配線金具と；底面部と、配線金具に接続される配線が挿入される配線孔と、配線孔近傍に設けられ底面部から突出しかつ底面部と異なる表面状態の表示部と、表示部よりも突出された突出部とを設けた底部を有し、配線孔の内側に臨んで配線金具を収納する筐体と；を具備したものである。
【０００８】
そして、この構成では、表示部は、底面部から突出しかつ例えば着色などして底面部と異なる表面状態とされたので、配線孔の種類を示す表示が分かりやすくなり、配線作業が容易になる。さらに、各表示部の周囲を囲み、これら表示部より大きく突出部を突出したので、配線器具の組み立て作業の際に突設した部分が他の部材などに摺接して着色が剥がれることなどが防止され、組み立ての作業性が良好になる。
【０００９】
そして、アース極の配線が挿入される複数の配線孔のそれぞれに近接して表示部を設けたので、配線が容易に正確に接続される。また、配線孔同士の間に位置して表示部を配置する必要がなく、配線孔同士を互いに近接して自由に配置することが可能になり、配線金具を小型化することが可能になる。
【００１０】
なお、本発明及び以下の各発明において、配線器具とは、コンセント、スイッチ、および端子台など、配線が接続される配線金具を筐体に収納した器具を広く許容する意味である。
【００１１】
また、底面部と異なる表面状態の表示部とは、色彩を異ならせる他、表面の滑らかさなど立体的な形状を異ならせることを許容するもので、塗料を用いた着色のほか、レーザによる刻印、焼印、バーナあるいはヒータであぶることなどによるスポット加熱など、熱などで変質させて形成することができ、さらに、２色成形とし、あるいはしぼ加工など表面処理、あるいはこれらの組み合わせとすることができる。また、着色する場合には、青色など、暗い場所でも見やすい色に着色することが望ましく、複数色の塗料を用いることもできる。
【００１２】
また、表示部は、文字として形成する他、配線孔を囲み、あるいは囲まないドット状などのマークとして形成することができる。
【００１３】
【発明の実施の形態】
以下、本発明の配線器具の一実施の形態を図面を参照して説明する。
【００１４】
図１は本発明の配線器具の前提となる一実施の形態を示す断面図、図２は配線器具の斜視図、図３は配線器具の平面図、図４は配線器具の側面図、図５は配線器具の端面図、図６は配線器具の底面図、図７は筐体本体の側面図である。
【００１５】
図１ないし図６において、11は配線器具で、この配線器具11は、サポートと呼ばれる取付枠に単数あるいは複数連設されたうえで壁面などの造営物に設置される連用配線器具である大角連用配線器具で、電源線に接続され、図示しないプラグが電気的および機械的に着脱可能に接続されるコンセントを構成している。なお、以下、正面側を上側、底面側を下側として説明する。また、取付枠及び配線器具11の寸法は規格化されたもので、取付枠は、中間部に細長で長手方向に３個の器具取付手段を有する器具取付孔を備えている。そして、配線器具11は、取付枠の器具取付孔の任意の器具保持手段に取り付けられる１モジュールの大きさに形成され、すなわち、短方向の外径寸法は器具取付孔の長手方向の略１／３に形成されている。なお、以下、略１／３とは、１／３を中心として若干小さいあるいは大きい範囲を許容することを意味する。
【００１６】
そして、この配線器具11は、筐体12と、この筐体12に収納される配線金具14となどを備えている。
【００１７】
そして、筐体12は、筐体本体16と、カバー体17と、止め金具18となどを備えている。そして、筐体本体16およびカバー体17は、それぞれ絶縁性を有する白色あるいは乳白色などの合成樹脂にて一体に形成され、互いに組み合わせて止め金具18で連結固定された状態で、内側に配線金具14を収納する収納空間が構成されている。そして、筐体本体16は、図１ないし図７に示すように、上側を開口した略箱状をなし、内側には、仕切板部21を中心として、刃受け金具装着部22と、鎖状端子装着部23とが形成されている。さらに、各鎖状端子装着部23から下側に貫通して、図６に示すように、それぞれ一対の配線孔25が形成されているとともに、対をなす配線孔25同士の間に位置して、リリース孔26が形成されている。
【００１８】
また、筐体本体16の底部31には、略平面状の底面部32の両端部から、下側に向かい突出部33が突設され、この突出部33に、配線孔25およびリリース孔26が形成されている。さらに、１カ所の配線孔25に隣接し、底面部32から下側に表示台部35が突設され、さらに、この表示台部35から下側に表示部36が突設されている。そして、この表示部36は、注意表示などを示すもので、本実施の形態では接地側極を示す「Ｗ」の文字が突設されている。さらに、この表示部36は、筐体本体16の他の部分とは異なる表面状態である異なる色彩に着色され、本実施の形態では、青色の塗料で印刷されている。また、底面部32には、種々の表示が突設あるいは凹設されて一体に形成されている。また、筐体本体16の両側の側部には、それぞれ上側の両端部に位置して、係合受部41が一体に形成されている。そして、この係合受部41には、上下に延びる案内溝部42と、この案内溝部42の下端部の両側に位置する係止段部43とが設けられている。
【００１９】
また、この筐体本体16は、開口した上側が底部31側より面積が大きく、両側にそれぞれテーパ状の傾斜面44が形成されている。
【００２０】
また、カバー体17は、平面略矩形状のカバー本体部46と、このカバー本体部46の両端の下端部から前後に延設されたフランジ部47とを備えている。そして、カバー本体部46の下側には、仕切板部51を中心として、一対の刃受け金具収納部52が形成され、この刃受け金具収納部52から上側に貫通して、一対のプラグ差込孔54が形成されている。さらに、カバー本体部46の上面には、各プラグ差込孔54を囲み、差込孔凹部55が曲面状に凹設されている。また、この差込孔凹部55の幅寸法は、図３に示すように、装着されるプラグＰの幅寸法より大きく形成され、プラグＰを装着した状態で、差込孔凹部55の一部が外部に露出するようになっている。また、各フランジ部47の両側部には、カバー側案内溝部57が形成されている。さらに、カバー本体部46の両端面には、フランジ部47から受け板部58が突設され、この受け板部58の両側部から両端方向に向かい、上下方向に延びるリブである係合突部59が突設されている。
【００２１】
また、各止め金具18は、例えばステンレス板を打ち抜き屈曲などして、カバー体係合部61と、このカバー体係合部61の両側部から延設された筐体本体係合部62とが形成されている。そして、カバー体係合部61は、基板部64と、この基板部64の長手方向に沿った一端部から屈曲され直角に起立された係合片部65とを備えている。そして、係合片部65の略中央部には、矩形状の孔部66が形成されている。また、この孔部66に向かい、基板部64から切起部67が延設されている。さらに、係合片部65の反体側に位置して、基板部64から取付爪部68が形成されている。また、筐体本体係合部62は、屈曲可能に幅狭に形成された屈曲部71と、この屈曲部71に続く腕部72と、この腕部72の先端部から略Ｖ字状に拡開して形成された係止部73とを備えている。
【００２２】
一方、筐体12に収納される配線金具14は、例えば、スズ(Sn)入りの銅合金など導電性の良好な金属にて、筐体本体16の刃受け金具装着部22に装着される略Ｕ字状に屈曲された刃受部81と、この刃受部81から延設され、鎖状端子装着部23に装着される略Ｌ字状の鎖状接続部82とが形成されている。さらに、鎖状端子装着部23には、ステンレス製などの弾性を有する部材で形成された板ばねなどの付勢手段84が装着されるとともに、例えば、筐体本体16と同じ材質の合成樹脂などにて形成されたリリースボタン86が進退可能に収納されている。
【００２３】
そして、この配線器具11の組み立ては、まず、筐体本体16の内側に、リリースボタン86、付勢手段84、および配線金具14を装着し、筐体本体16の上側にカバー体17を被せる。この状態で、止め金具18の基板部64をカバー体17のフランジ部47上に位置させるとともに、カバー体17の係合突部59間に止め金具18の係合片部65を挿入して係合し、止め金具18を仮止めして横ずれを防止する。そして、この状態から、自動機により止め金具18の筐体本体係合部62に曲げの力を加え、屈曲部71などを屈曲し、腕部72をカバー側案内溝部57および案内溝部42に嵌入するとともに、先端の係止部73を係止段部43の下側に係止する。この状態で、止め金具18により筐体本体16とカバー体17とが連結固定され、配線器具11が完成する。
【００２４】
そして、この配線器具11は、図示しない取付枠などを用いて壁面などの造営物に設置された状態で、各配線孔25から電源線などの配線の芯線を挿入することにより、この芯線が配線金具14の鎖状接続部82と付勢手段84との間に挟持され電気的に接続されるとともに機械的に鎖状接続される。そして、プラグ差込孔54からプラグの刃を挿入することにより、この刃は刃受部81に挟持され、電気的におよび機械的に接続され、配線金具14を介して、プラグに接続された電気機器に電力を供給できる。また、配線器具11の交換などの際は、リリース孔26からドライバなどの治具を挿入することにより、付勢手段84を後退させ、配線を取り外しできるようになっている。
【００２５】
そして、本実施の形態によれば、配線器具11の底部31の表示部36を、底面部32から突出させ、加えて文字部分のみをさらに突出させ、かつ、本体色すなわち底面部32と異なる色彩で印刷して着色したため、小さくまた細くなりやすい注意などの表示を目立たせて、暗い場所などでも各配線孔25の識別を分かりやすくでき、配線作業の作業性を向上し、誤配線を防止できる。
【００２６】
また、表示部36は、底部31で最も突出して形成するのではなく、この表示部36を挟んで、一対の突出部33を表示部36よりも突設させたため、配線器具11の組み立て作業の際に表示部36が他の部材などに摺接して印刷した着色が剥がれることなどを防止でき、組み立ての作業性を良好にできる。
【００２７】
さらに、この表示部36を突出部33に隣接させたため、さらに表示部36を他の部材に接触しにくくできる。
【００２８】
また、突出部33に配線孔25を設けたため、電線の挿入時に、この電線が文字部分に触れにくくなり、印刷を剥がれにくくできる。なお、突出部33に配線孔25が設けられていることは必須ではない。
【００２９】
また、文字部分を突出部33に近い高さまで突設させることにより、印刷が行いやすくなり、特に、転写による印刷を行いやすくできる。
【００３０】
さらに、底面部32の一部分のみを突出部33に近い位置まで突出させることにより、底部32の全体を突出させる構成に比べて、材料費を軽減できる。
【００３１】
また、本実施の形態では、表示部36は、配線器具11の底部31の一側に設けられ、いわば配線器具11の底部31を色分けしたため、配線器具11を枠体であるサポートに取り付ける際に、背面から見た状態でも、上下方向などの取り付け方向を容易に確認でき、配線器具設置の作業性を向上できる。すなわち、配線器具11には、表面側に製造者や定格などの表示がなされており、また、配線器具11としてのスイッチを複数連用する場合には、スイッチの入り切り方向を揃える必要があるが、本実施の形態によれば、配線器具11の底部31の一側に設けられた表示部36を目安として、取り付け方向を容易に確認でき、配線器具の設置の作業性を向上できる。特に、配線器具を連用する場合は、複数の配線器具の１つの向きが異なる場合、背面の表示部36の向きが揃わなくなるため、誤った取り付け方向を作業者に直感的に知らせることができる。
【００３２】
また、本実施の形態によれば、カバー体17に対をなす係合突部59を互いに離間して突設し、これら係合突部59内に止め金具18の係合片部65を係合することにより、止め金具18を仮止めできる。そして、止め金具のカバー体係合部の両側部から対をなす係合片部を突設しこれら係合片部間にカバー体の係合突部を係合する構成に比べ、係合する係合片部65と屈曲される筐体本体係合部62との距離が確保しやすくなるため、カバー体係合部61の両側部に設けた筐体本体係合部62を屈曲する際の力が係合片部65に加わりにくくなり、寸法のむらの発生を抑制し、組み立ての作業性を良好にできる。さらに、係合部分と止め金具18の屈曲部分との距離が離間すると同時に、係合突部59の機械的強度を容易に確保できる。
【００３３】
なお、表示部36は、レーザによる刻印、焼印、バーナあるいはヒータであぶることなどによるスポット加熱など、熱などで変質させて形成することにより、表面に塗料を塗布する構成などに比べ、表示部36の剥がれなどがなく、表示部36の視認性を良好に保つことができる。
【００３４】
また、表示部36は、蛍光体を塗布などして用いることにより、表示部36を明示して配線作業の作業性を向上できる。特に、照明装置の配線作業においては当然に照明が不十分になりやすく、また、他の配線の工事においても、工事現場などにおいては、照明装置が十分でなく暗い場合があるが、蛍光体を用いることにより、暗い場所でも表示部36を明示して配線作業の作業性を向上できる。なお、蛍光体とは、夜光塗料など、暗い場所での発光が可能な物質を意味する。
【００３５】
また、表示部36は、必要に応じて、底面部32あるいは表示台部35よりも低くすなわち凹設し、この凹部の内側あるいは外側に着色することもできる。そして、凹部内に着色する構成では、こすれによる印刷塗料の剥がれを防止でき、表示部36の視認性を良好に保つことができる。
【００３６】
さらに、表示部36は、「Ｗ」などの文字に限られるものではなく、例えば、単に点表示すなわちドット程度のマークでもよい。
【００３７】
また、上記の実施の形態では、配線器具として、単相１００Ｖの一般タイプのコンセントを説明したが、本発明は種々の配線器具に適用可能であり、例えば、コンセントとしては、単相１００Ｖのほか、単相２００Ｖ、三相２００Ｖが可能であり、また、複数のプラグを装着できるいわゆるダブルコンセントの構成や、接地極付きの構成、あるいは、引掛形のタイプに適用することもできる。また、コンセントのほか、片切、両切、３路、４路、タイマー付きなどの種々のスイッチに適用することもできる。
【００３８】
図８は本発明の前提となる筐体本体の他の実施の形態を示す底面図である。
【００３９】
すなわち、この図８に示す配線器具11は、筐体12の内部にスイッチ機構を収納するとともに、図示しないカバー体に操作部として揺動可能なスイッチハンドルを設けた３路スイッチで、底部31には、一対の配線孔25に隣接して、それぞれ表示台部35が突設され、さらに、これら表示台部35に「１」および「３」の表示が突出部33より低く突設されかつ着色され、表示部36が形成され、上記のコンセントである配線器具11と同様の効果を奏している。そして、この「１」および「３」の表示は、例えば、階段の上下に配線器具11を設置する際に、同じ番号同士を結ぶように電気接続することにより、所用の配線を容易に行えるようになっている。
【００４０】
図９は本発明の前提となる配線器具の他の実施の形態を示す底面図である。
【００４１】
すなわち、この図９に示す配線器具11は、図６に示す構成において、接地側極に位置する突出部33に設けた配線孔25を囲む凹設部分である環状部25a についても、着色などして表面状態を他方と異ならせて表示部とし、注意などの表示を目立たせて分かりやすくでき、配線作業の作業性を向上できる。なお、この環状部25a を設けた構成では、「Ｗ」の表示の表示部36を省略することもできる。
【００４２】
図１０は本発明の配線器具の一実施の形態を示す平面図、図１１は配線器具の底面図、図１２は同上配線器具の一部を拡大した底面図、図１３は、配線器具の図１２のII−II断面図である。
【００４３】
すなわち、これら図１０ないし図１３に示す配線器具11は、壁面埋込形の配線器具であり、２個のプラグを装着できるいわゆるダブルコンセントで、筐体12は、筐体本体（ケース体）16と、２対のプラグ差込孔54を形成したカバー体17とを、図示しない枠状の止め金具で連結し、さらに、図示しない金属製の取付枠（サポート）を取り付けて構成されている。
【００４４】
そして、筐体本体16の底部31には、正極側とアース極（負極）側とのそれぞれの配線孔（電線挿入孔）を一対とする２対の配線孔25が形成され、筐体12内には、各正極側の配線孔25から挿入された電線と電気的に接続される配線金具としての第１の端子金具と、各アース極側の配線孔25から挿入された電線と電気的に接続される配線金具としての第２の端子金具とが収納されている。
【００４５】
また、これら２対の配線孔25は、筐体本体16の底部31のほぼ中央に位置し互いに近接して設けられ、かつ、同じ極の配線孔25は、同じ側に配置されている。例えば、図１１に示すように、正極側の配線孔25は左側、アース極側の配線孔25は右側に配置されている。
【００４６】
そして、各アース極側の配線孔25にそれぞれ近接して、アース極を表示するアース極表示部である表示部36が形成されている。そして、これら表示部36は、周囲の底面部32より突設されているとともに、周囲の底面部32とは異なる表面状態に形成されている。
【００４７】
さらに、筐体本体16の底部31には、各表示部36の周囲を囲み、表示部36よりも大きく突出した突出部33が形成されている。
【００４８】
そして、この実施の形態によれば、２カ所のアース極側の配線孔25のそれぞれについてアース極を表示する表示部36を設けたため、電線を挿入する配線孔25の種類を極めて容易に確認でき、電線を正確に接続することができる。
【００４９】
また、配線孔同士の間に表示部を設ける構成に較べて、配線孔25の配置を自由にでき、アース極側の配線孔25を互いに近接して配置することにより、アース極側端子金具である第２の端子金具を必要十分な範囲で小型化でき、製造コストを低減できる。
【００５０】
そして、各表示部36は、周囲の底面部32より突設されているとともに、周囲の底面部32とは異なる表面状態に形成されているため、表示を見やすくでき、表示内容を認識しやすくできる。
【００５１】
なお、ここで異なる表面状態とは、表面の粗さや反射率が異なる状態とともに、色彩が異なる状態を含むものであり、表示部36の色彩を周囲の底面部32の色彩と異ならすことにより、さらに表示を見やすくでき、表示内容を認識しやすくできる。また、色彩としては、例えば、周囲の底面部32が白色の場合は、表示部36は青色や緑色などとし、暗い状況でも認識しやすくすることが望ましい。
【００５２】
さらに、表示部36の周囲を囲み、表示部36よりも大きく突出した突出部33を設けたため、表示部36に着色した場合に、表示部36が他の部材と摺接することなどを抑制し、表示部36の色落ちを抑制することができる。
【００５３】
また、例えば、図２および図６などに示す構成においては、筐体12の筐体本体16などは、ほぼ幅方向に対称に形成されており、例えば、筐体本体16の両側面にはそれぞれ傾斜面44が形成されているが、この形状を非対称とすることにより、筐体12の筐体本体16の向きを容易に確認でき、機械による確認も容易になって、製造コストを低減できる。
【００５４】
図１４は本発明の配線器具のさらに他の実施の形態を示す図３のＩ−Ｉ相当位置の断面の説明図である。
【００５５】
すなわち、この図１４に示す実施の形態では、例えば、壁面に埋め込まれて使用される配線器具などに関し、一面に開口を有し、この開口を有する一面が対向する底面部32より大きな面積を有する筐体本体（ケース体）16と、この筐体本体16の開口を覆うカバー体17と、これら筐体本体16とカバー体17とで構成される筐体12に収納される配線金具とを備えた配線器具について、筐体本体16の底面部32から一面にかけて断面積が大きくなる部分について、一側は傾斜面44とする一方、この傾斜面44に対向する他の側面は段状の段部91などとして、両側面の形状が互いに異なるように形成している。
【００５６】
そこで、この構成では、配線器具11の組み立て工程において、筐体本体16の側面の断面積が大きくなる部分にこの側面と垂直にレーザ光線Ｌを照射し、このレーザ光線Ｌの反射光Ｒの有無をセンサで測定することなどにより、筐体本体16向きを確認できる。すなわち、段状に断面積が大きくなる段部91では、レーザ光線Ｌを入射方向に反射する一方、テーパ状の傾斜面44は、レーザ光線Ｌを入射方向に反射しないため、反射光線の有無で、筐体本体16の向きを識別できる。
【００５７】
そして、配線器具11の組み立てを自動化した際には、筐体本体16を所定の向きに揃えることにより、端子などの配線金具を筐体本体16の内部の所定の位置に所定の向きで挿入でき、製造コストを低減できる。
【００５８】
また、これら段部91や傾斜面44は、筐体本体16の断面積が変化する部分に設けることにより、デザインを簡略化できるとともに、樹脂による一体成形などの成形を比較的容易にでき、製造コストを低減できる。
【００５９】
【発明の効果】
請求項１記載の配線器具によれば、表示部を、底面部から突出しかつ例えば着色などして底面部と異なる表面状態としたため、配線孔の種類を示す表示を分かりやすくでき、配線作業を容易にできる。さらに、各表示部の周囲を囲み、これら表示部より大きく突出部を突出したため、配線器具の組み立て作業の際に突設した部分が他の部材などに摺接して着色が剥がれることなどを防止でき、組み立ての作業性を良好にできる。
【００６０】
さらに、アース極の配線が挿入される複数の配線孔のそれぞれに近接して表示部を設けたため、配線を容易に正確に接続できる。また、配線孔同士の間に位置して表示部を設ける必要がなく、配線孔同士を互いに近接して自由に配置できるため、配線器具を小型化できる。
【図面の簡単な説明】
【図１】  本発明の配線器具の前提となる一実施の形態を示す断面図である。
【図２】  同上配線器具の斜視図である。
【図３】  同上配線器具の平面図である。
【図４】  同上配線器具の側面図である。
【図５】  同上配線器具の端面図である。
【図６】  同上配線器具の底面図である。
【図７】  同上筐体本体の側面図である。
【図８】  本発明の前提となる筐体本体の他の実施の形態を示す底面図である。
【図９】  本発明の前提となる配線器具の他の実施の形態を示す平面図である。
【図１０】  本発明の配線器具の一実施の形態を示す平面図である。
【図１１】  同上配線器具の底面図である。
【図１２】  同上配線器具の一部を拡大した底面図である。
【図１３】  同上配線器具の図１２のII−II断面図である。
【図１４】  本発明の配線器具のさらに他の実施の形態を示す図３のＩ−Ｉ相当位置の断面の説明図である。
【符号の説明】
11    配線器具
12    筐体
14    配線金具
25    配線孔
31    底部
32    底面部
33    突出部
36    表示部
【図１】
0003867760.tif 000002
【図２】
0003867760.tif 000003
【図３】
0003867760.tif 000004
【図４】
0003867760.tif 000005
【図５】
0003867760.tif 000006
【図６】
0003867760.tif 000007
【図７】
0003867760.tif 000008
【図８】
0003867760.tif 000009
【図９】
0003867760.tif 000010
【図１０】
0003867760.tif 000011
【図１１】
0003867760.tif 000012
【図１２】
0003867760.tif 000013
【図１３】
0003867760.tif 000014
【図１４】
0003867760.tif 000015